(57)【要約】【課題】映像監視システムの操作者に対してより高い操作性を提供する。【解決手段】映像監視システムは、管理端末１０１と、監視対象を撮影する映像撮影装置１０４と、映像データを記録する映像記録装置１０３からなる。管理端末１０１では、タッチパネル１０２が操作者のタッチ入力を受け付けて、入力認識手段１１３がタッチ入力からタッチジェスチャ操作を認識し、映像機器制御手段１１２がタッチジェスチャ操作に応じて映像記録装置１０３及び映像撮影装置１０４の動作を制御し、映像表示手段１１１が映像撮影装置１０４の映像データ又は映像記録装置１０３の映像記録データを表示する。【選択図】図１
2010258878.tif 000002
【特許請求の範囲】
【請求項１】
所定の監視対象を撮影する映像撮影装置と、映像を用いて当該監視対象を監視するための管理端末とを備えた映像監視システムにおいて、
上記管理端末は、
操作者のタッチ入力に応じた信号を出力するタッチパネルと、
上記タッチパネルが出力する信号を解析して、上記操作者が上記タッチパネルに対して行ったタッチジェスチャ操作を認識する入力認識部と、
上記入力認識部が認識したタッチジェスチャ操作に応じて、上記映像撮影装置の動作を制御する映像機器制御部と、
上記映像撮影装置が撮影した映像データを表示する映像表示部とを有することを特徴とする映像監視システム。
【請求項２】
映像撮影装置が撮影した映像データを映像記録データとして記録する映像記録装置を備え、
映像機器制御部は、入力識別部が認識したタッチジェスチャ操作に応じて、上記映像撮影装置及び上記映像記録装置の動作を制御し、
映像表示部は、上記映像撮影装置にて撮影された映像データ又は上記映像記録装置に記録された映像記録データを表示することを特徴とする請求項１記載の映像監視システム。
【請求項３】
１以上の映像撮影装置及び／又は１以上の映像記録装置を備え、
映像表示部は、タッチジェスチャ操作に応じて上記映像撮影装置及び／又は上記映像記録装置を切り替えて、切り替えた当該装置のデータを表示することを特徴とする請求項１又は請求項２記載の映像監視システム。
【請求項４】
映像撮影装置は、電気錠を有する扉を撮影し、
管理端末は扉遠隔制御部を有して、入力認識部が認識したタッチジェスチャ操作に応じて上記電気錠の施錠及び解錠を制御することを特徴とする請求項１から請求項３のうちのいずれか１項記載の映像監視システム。
【請求項５】
管理端末は、操作者の人数を識別する操作者識別部を有し、
入力識別部は、タッチパネルが出力する信号を解析して、同時に多点タッチ入力があった場合に当該多点タッチ入力間の距離を算出し、
上記操作者識別部は、上記入力識別部が算出した距離に基づいて操作者の人数を識別し、
映像表示部は、上記操作者識別部が識別した人数に応じて画面表示領域を分割することを特徴とする請求項１から請求項４のうちのいずれか１項記載の映像監視システム。
【請求項６】
タッチパネルは、操作者の複数の指の軌跡を入力として受け付け、
入力認識部は、上記操作者の複数の指の軌跡に対応するタッチジェスチャ操作を識別することを特徴とする請求項１から請求項５のうちのいずれか１項記載の映像監視システム。
【発明の詳細な説明】
【技術分野】
【０００１】
本発明は、監視対象区域の映像に基づいて監視する映像監視システムに関するものである。
【背景技術】
【０００２】
例えば、特許文献１には、タッチパネルを備えた監視カメラシステム用コントローラが開示されている。この従来方式では、タッチパネルへのタッチ入力によって、システム内の監視カメラに対してパン、チルト及びズームの制御を可能とし、操作者の操作性を向上させている。また、システム設定等もタッチパネル画面上のメニューボタンをタッチすることで可能となっている。
【０００３】
また、例えば特許文献２には、カメラ付きのインターホン子器と設置場所周辺の電気錠とが連携し、インターホン親器からインターホン子器を介して電気錠の遠隔制御が可能なインターホンシステムが開示されている。この従来方式では、インターホン子器で来訪者の呼び出しを受けたときに、インターホン子器が取得する映像と音声によって、インターホン親器で宅内からの対応を可能とし、さらに、電気錠の解除ができるとしている。インターホン親器のモニタ画面上に電気錠を制御する操作ボタン及び現在の施錠状態が表示されるため、操作者は、必要と状況に応じて施錠及び解錠の操作が可能となると共に、使い勝手が向上する。
【先行技術文献】
【特許文献】
【０００４】
【特許文献１】特開２００２−３４０３２号公報
【特許文献２】特開２００４−３１０６１４号公報
【発明の概要】
【発明が解決しようとする課題】
【０００５】
従来の特許文献１の監視カメラシステム用コントローラは上述のように構成されているので、カメラのパン、チルト及びズームの操作に関しては有効性が高い。しかしながら、映像監視業務は、その他にもカメラの切り替え、撮影した映像用のレコーダの操作等、様々な制御及び操作を要するものである。この点に関して、特許文献１のコントローラでは操作のバリエーションが制限されるため、パン、チルト及びズーム以外の制御が困難であるという課題があった。また、タッチパネル画面上にメニューを表示することで、本来最も重要である監視映像の表示領域が制限されるという問題もある。
【０００６】
また、特許文献２のインターホンシステムは上述のように構成されているので、来訪者確認とそれに伴う電気錠操作としては有効性が高い。しかしながら、複数のカメラが存在し、呼び出しのような明確なイベント情報が得られるとは必ずしも限らない映像監視システムに対しての適用は困難である。また、特許文献１と同様に、モニタ画面上に操作ボタン等を表示することで、本来最も重要である監視映像の表示領域が制限されるという問題もある。
【０００７】
この発明は、上記のような課題を解決するためになされたもので、映像監視業務及び映像監視に付随する連携システムに関する制御をタッチジェスチャ操作によって行うことで、操作者に対してより高い操作性を提供することを目的とする。
【課題を解決するための手段】
【０００８】
この発明に係る映像監視システムは、操作者のタッチ入力に応じた信号を出力するタッチパネルと、タッチパネルが出力する信号を解析して、操作者がタッチパネルに対して行ったタッチジェスチャ操作を認識する入力認識部と、入力認識部が認識したタッチジェスチャ操作に応じて、映像撮影装置の動作を制御する映像機器制御部と、映像撮影装置が撮影した映像データを表示する映像表示部とを有するようにしたものである。
【発明の効果】
【０００９】
この発明によれば、操作者のタッチジェスチャ操作に応じて映像撮影装置の動作を制御するようにしたので、操作者に対してより高い操作性を提供することができる。
【図面の簡単な説明】
【００１０】
【図１】この発明の実施の形態１に係る映像監視システムの構成を示すブロック図である。
【図２】図１に示す映像監視システムの動作を示すフローチャートである。
【図３】ズーム制御のためのタッチジェスチャ操作の一例を示す説明図であり、画面に触れた２本の指を挟んだり広げたりするようになぞるタッチジェスチャ操作を示す。
【図４】ズーム制御のためのタッチジェスチャ操作のその他の例を示す説明図であり、画面に触れた指を任意の領域を囲むようになぞるタッチジェスチャ操作を示す。
【図５】実施の形態２に係る映像監視システムの構成を示すブロック図である。
【図６】図５に示す映像監視システムの動作を示すフローチャートである。
【図７】映像切り替えのためのタッチジェスチャ操作の一例を示す説明図であり、画面に触れた２本の指で画面中央付近から画面下方へ向かってなぞるタッチジェスチャを示す。
【図８】実施の形態３に係る入退室管理システムの構成を示すブロック図である。
【図９】図８に示す入退室管理システムの動作を示すフローチャートである。
【図１０】電気錠制御のためのタッチジェスチャ操作の一例を示す説明図であり、画面に触れた２本の指をひねるようになぞるタッチジェスチャ操作を示す。
【図１１】実施の形態４に係る映像監視システムの構成を示すブロック図である。
【図１２】図１１に示す映像監視システムの動作を示すフローチャートである。
【図１３】操作者１，２に対応して画面の表示領域を分割し、各表示領域に映像１，２を画面表示した例を示す説明図である。
【発明を実施するための形態】
【００１１】
実施の形態１．
本実施の形態１では、タッチパネルを備えた管理端末に対して操作者がタッチジェスチャ操作をすることで、映像撮影装置の制御を行う例を説明する。図１は、この発明の実施の形態１に係る映像監視システムの構成を示すブロック図である。図１に示す映像監視システムは、タッチパネル１０２を備えた管理端末１０１、映像記録装置１０３、及び映像撮影装置１０４から構成され、これら各部はネットワーク２０１によって接続されて互いに通信が可能となっている。映像撮影装置１０４は、監視対象区域を撮影する監視カメラを有し、撮影した映像データを出力する。映像記録装置１０３は、映像撮影装置１０４が撮影した映像データを記録し、この記録映像データを必要に応じて管理端末１０１に出力する。なお、この例では、説明を簡単にするために映像記録装置１０３及び映像撮影装置１０４をそれぞれ１台のみ示しているが、それぞれ複数台備える構成であってもよい。また、この例では、タッチパネル１０２が表示器（映像表示手段）と一体になっているものを想定しているが、別体であってもよい。
【００１２】
管理端末１０１は、映像表示手段（映像表示部）１１１、映像機器制御手段（映像機器制御部）１１２、及び入力認識手段（入力認識部）１１３を備える。映像表示手段１１１は、タッチパネル１０２の表示器を制御して、ネットワーク２０１経由で取得した映像記録装置１０３の記録映像データ又は映像撮影装置１０４の映像データを画面表示する。映像機器制御手段１１２は、ネットワーク２０１経由で制御コマンドを出力して、映像記録装置１０３又は映像撮影装置１０４の動作を制御する。制御入力認識手段１１３は、タッチパネル１０２が出力する信号を解析して、操作者がタッチパネル１０２に対して行ったタッチ入力を認識する。
【００１３】
次に、実施の形態１の映像監視システムの動作を説明する。図２は、図１に示す映像監視システムの動作を示すフローチャートである。管理端末１０１において、先ず映像表示手段１１１が、ネットワーク２０１経由で取得した映像撮影装置１０４の映像データを画面表示する（ステップＳＴ１０１）。
【００１４】
映像監視業務を行う操作者が、タッチパネル１０２に対してタッチジェスチャ操作を行ってタッチ入力をすると、タッチパネル１０２が入力認識手段１１３へ信号を出力し（ステップＳＴ１０２）、入力認識手段１１３がその信号を用いてタッチジェスチャ操作を解析する（ステップＳＴ１０３）。図３は、タッチジェスチャ操作の一例を示す説明図であり、タッチパネル１０２の画面に触れた２本の指を挟んだり広げたりするようになぞるタッチジェスチャ操作を示す。図３に示すタッチジェスチャ操作は、触れている指の位置から求められる重心の位置がズームの中心位置となって、映像をズームするための操作である。
入力認識手段１１３から解析結果を受け付けた映像機器制御手段１１２は、指の位置から重心の位置を求め、この重心位置を中心にして映像をズームする旨を示す制御コマンドを映像撮影装置１０４へ送信する（ステップＳＴ１０４）。制御コマンドを受信した映像撮影装置１０４は、監視カメラを調整して所定区域をズームする（ステップＳＴ１０５）。この結果、管理端末１０１では、表示映像がズームされる。
【００１５】
また、図４は、タッチジェスチャ操作のその他の例を示す説明図であり、タッチパネル１０２の画面に触れた指を任意の領域を囲むようになぞるタッチジェスチャ操作を示す。図４に示すタッチジェスチャ操作は、触れている指で囲まれた領域の重心の位置がズームの中心の位置となって、囲まれた領域を画面の表示領域に合うようにズームアップするための操作である。入力認識手段１１３が出力する解析結果が、図４に示すようなタッチジェスチャ操作だった場合、映像機器制御手段１１２はこの解析結果を用いて、指で囲まれた領域の重心位置を求め、この重心位置を中心にして、囲まれた領域を画面の表示領域に合うようにズームアップする旨を示す制御コマンドを映像撮影装置１０４へ送信する（ステップＳＴ１０４）。制御コマンドを受信した映像撮影装置１０４は、監視カメラを調整して所定区域をズームアップする（ステップＳＴ１０５）。
【００１６】
なお、タッチジェスチャ操作は図３及び図４に示す例に限定されず、その他のタッチジェスチャ操作であってもよい。また、図３及び図４の例ではズームの中心位置のみ制御するようにしたが、これ以外のズーム動作を制御してもよく、例えばタッチジェスチャ操作時の指の移動速度に応じてズーム速度を制御する構成であってもよい。さらに、管理端末１０１はズーム制御だけでなく、タッチジェスチャ操作に応じてパン、チルト、及びその他の制御を行うようにしてもよい。
【００１７】
上述した例では、映像表示手段１１１が映像撮影装置１０４の映像データを画面表示している際に、映像機器制御手段１１２が映像撮影装置１０４のズーム制御を行う場合を説明したが、映像表示手段１１１が映像記録装置１０３の記録映像データを画面表示している際には、映像表示手段１１１が表示映像のズームレベルを変更すればよい。
【００１８】
以上のように、実施の形態１によれば、所定の監視対象を撮影する映像撮影装置１０４と、映像撮影装置１０４が撮影した映像データを映像記録データとして記録する映像記録装置１０３と、映像を用いて監視対象を監視するための管理端末１０１とを備えた映像監視システムにおいて、管理端末１０１が、操作者のタッチ入力又は複数の指の軌跡に応じた信号を出力するタッチパネル１０２と、タッチパネル１０２が出力する信号を解析して、操作者がタッチパネル１０２に対して行ったタッチジェスチャ操作を認識する入力認識手段１１３と、入力認識手段１１３が認識したタッチジェスチャ操作に応じて、映像記録装置１０３及び映像撮影装置１０４の動作を制御する映像機器制御手段１１２と、映像撮影装置１０４が撮影した映像データ又は映像記録装置１０３が記録している映像記録データを表示する映像表示手段１１１とを有するように構成した。
このため、操作者は表示映像に対する直感的な操作によって表示映像のズーム制御等ができる。よって、マウスやキーボード操作に不慣れな操作者でも容易に操作可能な映像監視システムを実現できる。また、ズームの中心位置、ズーム速度等の調整を、従来のようなボタン操作又はメニュー操作よりも少ない操作ステップで操作可能なため、操作者の目的を素早く達成することができ、より即時性が求められる映像監視業務に適した操作系といえる。
【００１９】
実施の形態２．
本実施の形態２では、タッチパネルを備えた管理端末に対して操作者がタッチジェスチャ操作をすることで、管理端末の表示画面の映像切り替え制御を行う例を説明する。図５は、この発明の実施の形態２に係る映像監視システムの構成を示すブロック図である。本実施の形態の映像監視システムは、２台の映像撮影装置１０４，１０４ａを備え、映像表示手段１１１は画面表示する映像データを映像撮影装置１０４／映像撮影装置１０４ａに切り替える機能を有する。その他、図５において図１と同一又は相当の部分については同一の符号を付し説明を省略する。
【００２０】
次に、実施の形態２の映像監視システムの動作を説明する。図６は、図５に示す映像監視システムの動作を示すフローチャートである。管理端末１０１において、先ず映像表示手段１１１が、ネットワーク２０１経由で取得した映像撮影装置１０４の映像データを画面表示する（ステップＳＴ２０１）。
【００２１】
映像監視業務を行う操作者が、タッチパネル１０２に対してタッチジェスチャ操作を行ってタッチ入力をすると、タッチパネル１０２が入力認識手段１１３へ信号を出力し（ステップＳＴ２０２）、映像機器制御手段１１２がその信号を用いてタッチジェスチャ操作を解析する（ステップＳＴ２０３）。図７は、タッチジェスチャ操作の一例を示す説明図であり、タッチパネル１０２の画面に触れた２本の指を画面中央付近から画面下方へ向かってなぞるタッチジェスチャを示す。図７に示すタッチジェスチャ操作は、画面表示している映像データを、映像撮影装置１０４からもう一方の映像撮影装置１０４ａへ切り替えるための操作である。
入力認識手段１１３から解析結果を受け付けた映像表示手段１１１は、画面表示する映像データを映像撮影装置１０４から映像撮影装置１０４ａに切り替える（ステップＳＴ２０４）。
【００２２】
なお、映像撮影装置１０４ａの映像データを画面表示している際に、図７に示すタッチジェスチャ操作があった場合には、映像表示手段１１１は画面表示する映像データを映像撮影装置１０４ａから映像撮影装置１０４に切り替える。また、映像撮影装置１０４が３台以上ある場合においても、同様の操作で順次、映像データを切り替えることができる。
【００２３】
また、上述した例では、図７のタッチジェスチャ操作が入力される度に、複数台の映像撮影装置を順番に切り替えるよう構成したが、予め、映像撮影装置毎に異なるタッチジェスチャ操作を登録しておき、タッチジェスチャ操作が入力されるとこれに該当する映像撮影装置に切り替えるように構成してもよい。
【００２４】
また、本実施の形態では、画面表示切り替えの対象を映像撮影装置１０４，１０４ａにしたが、切り替えの対象に１台又は複数台の映像記録装置１０３を含めるように構成して、記録映像データに切り替わるようにしてもよい。
【００２５】
以上のように、実施の形態２によれば、映像監視システムが１台以上の映像撮影装置１０４及び／又は１台以上の映像記録装置１０３を備え、管理端末１０１の映像表示手段１１１は、タッチジェスチャ操作に応じて映像撮影装置１０４及び／又は映像記録装置１０３を切り替えて、切り替えた装置のデータを表示するように構成した。
このため、操作者は表示映像に対する直感的な操作によって表示映像の切り替えができる。よって、マウスやキーボード操作に不慣れな操作者でも容易に操作可能な映像監視システムを実現できる。また、従来のようなボタン操作又はメニュー操作よりも少ない操作ステップで操作可能なため、操作者の目的を素早く達成することができ、より即時性が求められる映像監視業務に適した操作系といえる。
【００２６】
実施の形態３．
本実施の形態３では、タッチパネルを備えた管理端末に対して操作者がタッチジェスチャ操作をすることで、扉の電気錠の制御を行う例を説明する。図８は、この発明の実施の形態３に係る入退室管理システムの構成を示すブロック図である。本実施の形態の入退室管理システムは、新たに扉１０５を備えると共に、映像機器制御手段１１２の代わりに扉遠隔制御手段１１４を備える。なお、この入退室管理システムは、映像監視システムの一形態であり、図８において図１と同一又は相当の部分については同一の符号を付し説明を省略する。
【００２７】
扉１０５は電気錠を備え、この電気錠はネットワーク２０１によって管理端末１０１に接続されている。映像撮影装置１０４は、監視対象として扉１０５を撮影する。管理端末１０１の扉遠隔制御手段（扉遠隔制御部）１１４は、監視対象となっている扉１０５に対して扉遠隔制御コマンドを送信して、電気錠の施錠及び解錠を制御する。
【００２８】
次に、実施の形態３の入退室管理システムの動作を説明する。図９は、図８に示す入退室管理システムの動作を示すフローチャートである。管理端末１０１において、先ず映像表示手段１１１が、ネットワーク２０１経由で取得した映像撮影装置１０４の映像データ、即ち扉１０５の映像を画面表示する（ステップＳＴ３０１）。
【００２９】
映像監視業務を行う操作者が、タッチパネル１０２に対してタッチジェスチャ操作を行ってタッチ入力をすると、タッチパネル１０２が入力認識手段１１３へ信号を出力し（ステップＳＴ３０２）、入力認識手段１１３がその信号を用いてタッチジェスチャ操作を解析する（ステップＳＴ３０３）。図１０は、タッチジェスチャ操作の一例を示す説明図であり、タッチパネル１０２の画面に触れた２本の指をひねるようになぞるタッチジェスチャ操作を示す。図１０に示すタッチジェスチャ操作は、画面表示中の扉１０５の電気錠の解錠と施錠を切り替えるための操作である。
入力認識手段１１３から解析結果を受け付けた扉遠隔制御手段１１４は、電気錠の解錠又は施錠の扉遠隔制御コマンドを監視対象の扉１０５へ送信する（ステップＳＴ３０４）。扉遠隔制御コマンドを受信した扉１０５は、電気錠を解錠又は施錠する（ステップＳＴ３０５）。
【００３０】
なお、上述した例では、映像撮影装置１０４と扉１０５を１組備える構成であったが、映像撮影装置と扉を複数組備える構成であってもよい。この構成の場合には、画面表示する映像撮影装置を切り替えたときに遠隔制御対象の扉も併せて切り替わるよう、映像撮像装置と扉を紐付けるように予め設定してもよいし、既存の画像認識技術を用いて表示画面内の扉を識別して遠隔制御対象を決定してもよい。
【００３１】
以上のように、実施の形態３によれば、映像撮影装置１０４が電気錠を有する扉１０５を撮影し、管理端末１０１が扉遠隔制御手段１１４を有して、入力認識手段１１３が認識したタッチジェスチャ操作に応じて扉１０５の電気錠の施錠及び解錠を制御するように構成した。
このため、操作者は表示映像に対する直感的な操作によって監視対象の扉の遠隔制御ができる。よって、マウスやキーボード操作に不慣れな操作者でも容易に操作可能な入退室システムを実現できる。また、従来のようなボタン操作又はメニュー操作よりも少ない操作ステップで操作可能なため、操作者の目的を素早く達成することができ、より即時性が求められる映像監視業務に適した操作系といえる。
【００３２】
実施の形態４．
本実施の形態４では、タッチパネルを備えた管理端末に対して複数人数の操作者が同時にタッチ入力をすることで、各操作者が映像監視業務を並行に行う例を説明する。図１１は、この発明の実施の形態４に係る映像監視システムの構成を示すブロック図である。本実施の形態の映像監視システムは、実施の形態１の映像監視システムに実施の形態３の扉１０５及び扉遠隔制御手段１１４を追加すると共に、新たに操作者識別手段（操作者識別部）１１５を備える。その他、図１１において、図１又は図８と同一又は相当の部分については同一の符号を付し説明を省略する。
【００３３】
操作者識別手段１１５は、タッチパネル１０２にタッチされた複数地点間の距離によって、１つの手による多点タッチか、複数の手による多点タッチかを判別する。操作者識別手段１１５は、複数の手と判別した場合に、操作者が複数人であると識別する。判別基準となる距離の閾値は任意に設定すればよい。
なお、タッチパネルへの多点同時入力の認識方法は、特開２００９−４８２３３号公報等に開示された既存の方法を用いればよい。本実施の形態では、入力認識手段１１３がタッチパネル１０２から出力される信号を用いて、タッチされた複数地点間の距離を算出する。
【００３４】
映像表示手段１１１は、操作者識別手段１１５が識別した操作者数に応じて表示器の表示領域を分割し、各表示領域の画面表示を制御する。
【００３５】
次に、実施の形態４の映像監視システムの動作を説明する。図１２は、図１１に示す映像監視システムの動作を示すフローチャートである。管理端末１０１において、先ず映像表示手段１１１が、ネットワーク２０１経由で取得した映像撮影装置１０４の映像データ、即ち扉１０５の映像を画面表示する（ステップＳＴ４０１）。
このとき、例えば２人の操作者がそれぞれタッチパネル１０２に対して触れると、タッチパネル１０２が入力認識手段１１３へ信号を出力し（ステップＳＴ４０２）、入力認識手段１１３がその信号を用いて多点タッチ間の距離を算出して解析結果を作成し、操作者識別手段１１５が解析結果に基づいて操作者の人数を識別する（ステップＳＴ４０３）。
【００３６】
操作者識別手段１１５は、操作者が２人であることを識別すると、その旨を示す信号を映像機器制御手段１１２に出力する。映像機器制御手段１１２は、表示器画面の表示領域を人数分に分割する（ステップＳＴ４０４）。図１３は、２人の操作者１，２に対応して画面の表示領域を分割し、各表示領域に映像１，２を画面表示した例を示す説明図である。一連の処理の後、各操作者は、各表示領域を用いて、上記実施の形態１〜３で示したようなタッチジェスチャ操作による映像監視業務を行う。管理端末１０１は、映像１を画面表示している表示領域に対して操作者１からタッチジェスチャ操作が入力されると、その操作に応じた画面表示又は扉遠隔制御を行うと共に、映像２を画面表示している表示領域に対して操作者２からタッチジェスチャ操作が入力されると、その操作に応じた画面表示又は扉遠隔制御を行う。
なお、上述した例では、操作者が２人の場合を例に用いて説明したが、操作者が３人以上であってもよく、例えば操作者が３人の場合には表示領域を３分割すればよい。
【００３７】
以上のように、実施の形態４によれば、管理端末１０１が操作者の人数を識別する操作者識別手段１１５を有し、入力認識手段１１３は、タッチパネル１０２が出力する信号を解析して、同時に多点タッチ入力があった場合に当該多点タッチ入力間の距離を算出し、操作者識別手段１１５は、入力識別手段１１３が算出した距離に基づいて操作者の人数を識別し、映像表示手段１１１は、操作者識別手段１１５が識別した人数に応じて画面表示領域を分割するように構成した。
このため、１台の管理端末１０１を使用して複数人数で同時に映像監視業務を行うことができ、作業効率を高めることができる。また、互いの操作者の距離、及び操作対象となる表示画面の距離が近いため、連携操作や分担作業を行い易くなる。さらに、従来の映像監視システムでは、操作者の人数に応じて管理端末１０１も複数台必要であったが、本実施の形態４の管理端末１０１は１台で兼ねることができるため、管理端末購入費用の削減効果も期待できる。
【符号の説明】
【００３８】
１０１  管理端末、１０２  タッチパネル、１０３  映像記録装置、１０４，１０４ａ  映像撮影装置、１０５  扉、１１１  映像表示手段、１１２  映像機器制御手段、１１３  入力認識手段、１１４  扉遠隔制御手段、１１５  操作者識別手段、２０１  ネットワーク。
【図１】
2010258878.tif 000003
【図２】
2010258878.tif 000004
【図３】
2010258878.tif 000005
【図４】
2010258878.tif 000006
【図５】
2010258878.tif 000007
【図６】
2010258878.tif 000008
【図７】
2010258878.tif 000009
【図８】
2010258878.tif 000010
【図９】
2010258878.tif 000011
【図１０】
2010258878.tif 000012
【図１１】
2010258878.tif 000013
【図１２】
2010258878.tif 000014
【図１３】
2010258878.tif 000015